(57)【要約】【課題】コスト増を抑制しつつ動作確認を行うことが可能となる紙葉類処理装置、テスト媒体および紙葉類処理装置の動作確認方法を提供する。【解決手段】紙葉類を取り込む取込部と、取込部によって取り込まれた紙葉類を識別する識別部と、識別部による紙葉類の識別結果に基づいて、該紙葉類を複数の搬送先の中から一の搬送先に搬送する搬送部と、を備え、取込部は、紙葉類の識別情報を含む二次元コード５１が印刷されたテスト媒体２を取り込み、識別部は、取込部によって取り込まれたテスト媒体２の二次元コード５１から紙葉類の識別情報を識別結果として読み取り、搬送部は、識別部がテスト媒体２の二次元コード５１から読み取った紙葉類の識別結果に基づいて、テスト媒体を複数の搬送先の中から一の搬送先に搬送する。【選択図】図２
2020123252.tif 000002
【特許請求の範囲】
【請求項１】
紙葉類を取り込む取込部と、
前記取込部によって取り込まれた紙葉類を識別する識別部と、
前記識別部による紙葉類の識別結果に基づいて、該紙葉類を複数の搬送先の中から一の搬送先に搬送する搬送部と、を備え、
前記取込部は、紙葉類の識別情報を含む二次元コードが印刷されたテスト媒体を取り込み、
前記識別部は、前記取込部によって取り込まれた前記テスト媒体の二次元コードから紙葉類の識別情報を識別結果として読み取り、
前記搬送部は、前記識別部が前記テスト媒体の二次元コードから読み取った紙葉類の識別結果に基づいて、該テスト媒体を前記複数の搬送先の中から一の搬送先に搬送する
ことを特徴とする紙葉類処理装置。
【請求項２】
前記二次元コードに含まれる紙葉類の識別情報が、損券に関する情報を含んでいることを特徴とする請求項１記載の紙葉類処理装置。
【請求項３】
前記二次元コードに含まれる紙葉類の識別情報が、搬送不良に関する情報を含んでいることを特徴とする請求項１または２記載の紙葉類処理装置。
【請求項４】
前記二次元コードに含まれる紙葉類の識別情報が、紙幣の記番号に関する情報を含んでいることを特徴とする請求項１から３のいずれか一項記載の紙葉類処理装置。
【請求項５】
前記識別部は、前記テスト媒体の二次元コードの読み取りの向きにより該テスト媒体の方向を識別することを特徴とする請求項１から４のいずれか一項記載の紙葉類処理装置。
【請求項６】
紙葉類処理装置の動作確認に用いられるテスト媒体であって、
紙葉類の識別情報を含む二次元コードが印刷されていることを特徴とするテスト媒体。
【請求項７】
紙葉類を取り込む取込部と、
前記取込部によって取り込まれた紙葉類を識別する識別部と、
前記識別部による紙葉類の識別結果に基づいて、該紙葉類を複数の搬送先の中から一の搬送先に搬送する搬送部と、を備える紙葉類処理装置の動作確認方法であって、
紙葉類の識別情報を含む二次元コードが印刷されたテスト媒体を前記取込部で取り込む工程と、
前記取込部によって取り込まれた前記テスト媒体の二次元コードから前記識別部によって紙葉類の識別情報を識別結果として読み取る工程と、
前記識別部が前記テスト媒体の二次元コードから読み取った紙葉類の識別結果に基づいて、該テスト媒体を前記搬送部によって前記複数の搬送先の中から一の搬送先に搬送する工程と、
を含むことを特徴とする紙葉類処理装置の動作確認方法。
【発明の詳細な説明】
【技術分野】
【０００１】
本発明は、紙葉類処理装置、テスト媒体および紙葉類処理装置の動作確認方法に関する。
【背景技術】
【０００２】
従来、取込部にセットされた紙幣を取り込んで識別部で識別し、識別部の識別結果に基づいて、正常紙幣と識別された紙幣を所定の集積部に集積させ、正常紙幣以外と識別された場合は、リジェクト部へ搬送する紙幣処理装置が提案されている（例えば、特許文献１参照）。
【先行技術文献】
【特許文献】
【０００３】
【特許文献１】特開２０１６−２２４８４４号公報
【発明の概要】
【発明が解決しようとする課題】
【０００４】
ところで、紙幣処理装置において、オペレータの訓練や保守点検の際など、本物の紙幣が使用できない場合に、模擬紙幣を使用して動作の確認を行うことがある。しかしながら、識別部において所望の識別をさせるように種々のパターンの模擬紙幣を作成することは容易ではなくコスト増を招いてしまう。また、識別部において模擬紙幣に対し所望の識別をするようにそれぞれのパターンに合った識別ソフトを作成する場合もコスト増を招いてしまう。これらの課題は、紙幣に限らず、種々の紙葉類を処理する紙葉類処理装置において共通する課題である。
【０００５】
したがって、本発明は、コスト増を抑制しつつ動作確認を行うことが可能となる紙葉類処理装置、テスト媒体および紙葉類処理装置の動作確認方法を提供することを目的とする。
【課題を解決するための手段】
【０００６】
本発明に係る第１の態様は、紙葉類を取り込む取込部と、前記取込部によって取り込まれた紙葉類を識別する識別部と、前記識別部による紙葉類の識別結果に基づいて、該紙葉類を複数の搬送先の中から一の搬送先に搬送する搬送部と、を備え、前記取込部は、紙葉類の識別情報を含む二次元コードが印刷されたテスト媒体を取り込み、前記識別部は、前記取込部によって取り込まれた前記テスト媒体の二次元コードから紙葉類の識別情報を識別結果として読み取り、前記搬送部は、前記識別部が前記テスト媒体の二次元コードから読み取った紙葉類の識別結果に基づいて、該テスト媒体を前記複数の搬送先の中から一の搬送先に搬送することを特徴とする。
【０００７】
上記第１の態様によれば、取込部が、二次元コードが印刷されたテスト媒体を取り込むと、識別部が、このテスト媒体の二次元コードから紙葉類の識別情報を識別結果として読み取ることになり、この紙葉類の識別結果に基づいて、搬送部が、テスト媒体を複数の搬送先の中から一の搬送先に搬送する。このように、テスト媒体に紙葉類の識別情報を含む二次元コードを印刷し、この二次元コードから識別部が読み取った紙葉類の識別結果で、動作を確認することになる。よって、識別部において所望の識別をさせるように二次元コードに紙葉類の識別情報を含ませれば良いため、テスト媒体を容易に作成することができる。また、識別部においてテスト媒体に対し所望の識別を行うように識別ソフトを作成することも容易となる。
【０００８】
本発明に係る第２の態様は、第１の態様において、前記二次元コードに含まれる紙葉類の識別情報が、損券に関する情報を含んでいることを特徴とする。
【０００９】
上記第２の態様によれば、二次元コードに含まれる紙葉類の識別情報が、損券に関する情報を含んでいるため、識別部において損券に関する所望の識別をさせるようにテスト媒体を作成することが容易にできる。また、識別部においてテスト媒体に対し損券に関する所望の識別を行うように識別ソフトを作成することも容易となる。
【００１０】
本発明に係る第３の態様は、第１または第２の態様において、前記二次元コードに含まれる紙葉類の識別情報が、搬送不良に関する情報を含んでいることを特徴とする。
【００１１】
上記第３の態様によれば、二次元コードに含まれる紙葉類の識別情報が、搬送不良に関する情報を含んでいるため、識別部において搬送不良に関する所望の識別をさせるようにテスト媒体を作成することが容易にできる。また、識別部においてテスト媒体に対し搬送不良に関する所望の識別を行うように識別ソフトを作成することも容易となる。
【００１２】
本発明に係る第４の態様は、第１から第３のいずれか一態様において、前記二次元コードに含まれる紙葉類の識別情報が、紙幣の記番号に関する情報を含んでいることを特徴とする。
【００１３】
上記第４の態様によれば、二次元コードに含まれる紙葉類の識別情報が、紙幣の記番号に関する情報を含んでいるため、識別部において紙幣の記番号に関する所望の識別をさせるようにテスト媒体を作成することが容易にできる。また、識別部においてテスト媒体に対し紙幣の記番号に関する所望の識別を行うように識別ソフトを作成することも容易となる。
【００１４】
本発明に係る第５の態様は、第１から第４のいずれか一態様において、前記識別部は、前記テスト媒体の二次元コードの読み取りの向きにより該テスト媒体の方向を識別することを特徴とする。
【００１５】
上記第５の態様によれば、識別部がテスト媒体の二次元コードの読み取りの向きによりテスト媒体の方向を識別するため、識別部において方向違いに関する所望の識別をさせるように異なる二次元コードを有する複数種のテスト媒体を作成する必要がなくなる。よって、テスト媒体の種類を減らすことができる。
【００１６】
本発明に係る第６の態様は、紙葉類処理装置の動作確認に用いられるテスト媒体であって、紙葉類の識別情報を含む二次元コードが印刷されていることを特徴とする。
【００１７】
上記第６の態様によれば、紙葉類の識別情報を含む二次元コードが印刷されているため、紙葉類処理装置に対して、この二次元コードから識別部が読み取った紙葉類の識別結果で動作を確認させることができる。よって、紙葉類処理装置の識別部において所望の識別をさせるように二次元コードに紙葉類の識別情報を含ませれば良いため、容易に作成することができる。また、識別部において所望の識別を行うように識別ソフトを作成することも容易となる。
【００１８】
本発明に係る第７の態様は、紙葉類を取り込む取込部と、前記取込部によって取り込まれた紙葉類を識別する識別部と、前記識別部による紙葉類の識別結果に基づいて、該紙葉類を複数の搬送先の中から一の搬送先に搬送する搬送部と、を備える紙葉類処理装置の動作確認方法であって、紙葉類の識別情報を含む二次元コードが印刷されたテスト媒体を前記取込部で取り込む工程と、前記取込部によって取り込まれた前記テスト媒体の二次元コードから前記識別部によって紙葉類の識別情報を識別結果として読み取る工程と、前記識別部が前記テスト媒体の二次元コードから読み取った紙葉類の識別結果に基づいて、該テスト媒体を前記搬送部によって前記複数の搬送先の中から一の搬送先に搬送する工程と、を含むことを特徴とする。
【００１９】
上記第７の態様によれば、紙葉類の識別情報を含む二次元コードが印刷されたテスト媒体を取込部で取り込む工程と、取込部によって取り込まれたテスト媒体の二次元コードから識別部によって紙葉類の識別情報を識別結果として読み取る工程と、識別部がテスト媒体の二次元コードから読み取った紙葉類の識別結果に基づいて、該テスト媒体を搬送部によって複数の搬送先の中から一の搬送先に搬送する工程と、を含む。このように、テスト媒体に紙葉類の識別情報を含む二次元コードを印刷し、この二次元コードから識別部が読み取った紙葉類の識別結果で、動作を確認することになる。よって、識別部において所望の識別をさせるように二次元コードに紙葉類の識別情報を含ませれば良いため、テスト媒体を容易に作成することができる。また、識別部においてテスト媒体に対し所望の識別を行うように識別ソフトを作成することも容易となる。
【発明の効果】
【００２０】
本発明によれば、コスト増を抑制しつつ動作確認を行うことが可能となる紙葉類処理装置、テスト媒体および紙葉類処理装置の動作確認方法を提供することができる。
【図面の簡単な説明】
【００２１】
【図１】本発明の一実施形態に係る紙葉類処理装置の全体構成を正面側から見た内部の概略構成図である。
【図２】本発明の一実施形態に係る紙葉類処理装置の動作確認用のテスト媒体を示す平面図である。
【図３】本発明の一実施形態に係る紙葉類処理装置の動作確認用のテスト媒体の二次元コードに含まれる識別情報のデータフォーマットを示す図である。
【図４】本発明の一実施形態に係る紙葉類処理装置の動作確認用のテスト媒体の二次元コードに含まれる特性情報のデータフォーマットを示す図である。
【図５】本発明の一実施形態に係る紙葉類処理装置の動作確認用のテスト媒体の二次元コードに含まれる券種情報のデータフォーマットを示す図である。
【図６】本発明の一実施形態に係る紙葉類処理装置の動作確認用のテスト媒体の二次元コードに含まれる損券判別情報のデータフォーマットを示す図である。
【図７】本発明の一実施形態に係る紙葉類処理装置の動作確認用のテスト媒体の異常表示部を示す平面図である。
【図８】本発明の一実施形態に係る紙葉類処理装置の動作確認時の識別部の制御内容を示すフローチャートである。
【発明を実施するための形態】
【００２２】
本発明の一実施形態に係る紙葉類処理装置、テスト媒体および紙葉類処理装置の動作確認方法を図面を参照して以下に説明する。
【００２３】
図１は実施形態の紙葉類処理装置１であり、図２は実施形態のテスト媒体２である。テスト媒体２は、紙葉類処理装置１の動作確認用であり、紙葉類処理装置１のメンテナンス時等に使用されるものである。言い換えれば、テスト媒体２は、紙葉類処理装置１とで紙葉類処理装置１の動作確認用のシステムを構成する。
【００２４】
紙葉類処理装置１は、紙葉類として紙幣Ｓを設定された分類で分類処理するものである。紙葉類処理装置１は、投入された紙幣Ｓを、計数対象である計数対象紙幣と、計数対象ではないリジェクト紙幣とに分類し、計数対象紙幣をさらに予め設定された種類別に計数して種類別に取り出し可能に収容する。その際に、紙葉類処理装置１は、識別計数結果と収容先とを関連付けて表示する。以下、紙葉類処理装置１において、操作者側を装置前側、操作者とは反対側を装置後側、これらを結ぶ方向を装置前後方向とする。また、操作者から見て右側を装置右側、操作者から見て左側を装置左側、これらを結ぶ方向を装置左右方向とする。
【００２５】
紙葉類処理装置１は、装置右側の下部に設けられて、装置右側の側面から装置前側の前面に亘って紙葉類処理装置１外に常時開口する取込部１１と、装置右側の上部に設けられて、装置右側の側面から装置前側の前面に亘って紙葉類処理装置１外に常時開口するリジェクト用の収容部２０と、を有している。また、紙葉類処理装置１は、取込部１１および収容部２０よりも装置左側に設けられて装置前側の前面に常時開口する複数、具体的には８つの収容部２１〜２８を有している。
【００２６】
取込部１１は、紙葉類処理装置１において外部からの紙幣Ｓを受け付ける部分であり、複数枚の紙幣Ｓが、長辺部を装置前後方向に沿わせ、短辺部を装置左右方向に沿わせて、上下方向に集積された状態でセットされることになる。取込部１１は、このようにセットされた集積状態の紙幣Ｓを最下のものから一枚ずつ分離し装置左側に繰り出して紙葉類処理装置１内に取り込む。取込部１１で紙葉類処理装置１内に取り込まれる際に、紙幣Ｓは、その短辺部の延在方向に沿って移動する。
【００２７】
紙葉類処理装置１は、その内部に、取込部１１から繰り出された紙幣Ｓを、複数の収容部２０〜２８のうちのいずれか一つに択一的に搬送する搬送部３１を有している。複数の収容部２０〜２８が、搬送部３１による紙幣Ｓの搬送先であり、搬送部３１で搬送される紙幣Ｓも、その短辺部の延在方向に沿って移動する。よって、紙葉類処理装置１は、紙幣Ｓを搬送方向に対し横長の状態で搬送する横搬送の紙葉類処理装置となっている。
【００２８】
紙葉類処理装置１は、搬送部３１の搬送経路における取込部１１と、複数の収容部２０〜２８との間に、搬送部３１で搬送中の紙幣Ｓを識別しつつ計数する識別部３２を有している。識別部３２は、装置左右方向において、取込部１１および収容部２０と、収容部２１〜２８との間に設けられている。識別部３２は、取込部１１によって取り込まれ搬送部３１で搬送される紙幣Ｓを搬送部３１の上流側の位置で識別することになり、搬送部３１は、この識別部３２による紙幣Ｓの識別結果に基づいて、紙幣Ｓを、識別部３２よりも下流側にある複数の搬送先である複数の収容部２０〜２８の中から一の搬送先となる収容部に搬送する。
【００２９】
識別部３２は、紙幣Ｓの表面および裏面それぞれの画像、紙幣Ｓの厚み、紙幣Ｓの磁気情報、紙幣Ｓの紫外線反射情報であるＵＶ情報等を検出することになり、これらの情報から紙幣Ｓの、通貨種、真偽、金種、版数、損傷の有無、汚損の有無、テープの有無、折れの有無、外形（長さ、幅）、厚み異常（重送）、斜行やオーバーラン等の搬送異常の有無等を識別する。
【００３０】
収容部２０は、搬送部３１で搬送されてきた紙幣Ｓを搬送順に集積させながら収容する。収容部２０は紙葉類処理装置１外に常時開口しているため、収容部２０に収容された紙幣Ｓは紙葉類処理装置１外に取り出し可能となる。
【００３１】
収容部２１〜２８も、それぞれが、搬送部３１で搬送されてきた紙幣Ｓを搬送順に集積させながら収容する。収容部２１〜２８も、それぞれが、紙葉類処理装置１外に常時開口しているため、収容部２１〜２８に収容された紙幣Ｓは紙葉類処理装置１外に取り出し可能となる。
【００３２】
紙葉類処理装置１は、装置前側の前面に、操作者による操作入力を受け付けるとともに操作者に向けて表示を行う操作表示部３５を有している。操作表示部３５は、識別部３２による識別計数結果を表示することになり、また、各種の設定時に操作者による入力が行われる。紙葉類処理装置１は、その内部に、紙葉類処理装置１の全体を制御する制御部３６と、データを記憶する記憶部３７と、を有している。
【００３３】
図２に示すように、テスト媒体２は、紙幣Ｓと同様、厚さが薄い長方形状の紙製であり、白色の用紙に部分的に印刷が施されて作成されている。テスト媒体２には、その厚さ方向一側の表面４１における長辺部の延在方向一側かつ短辺部の延在方向一側の角部近傍に、券種および版数を目視判別可能となるようにテキストで表示する券種・版数表示部４２が印刷されている。テスト媒体２は、表面４１を見たときに、券種・版数表示部４２が右上に配置された状態で、券種・版数表示部４２の上下左右が適正な向きとなる。
【００３４】
テスト媒体２において、短辺部の延在方向を媒体天地方向とし、この媒体天地方向における券種・版数表示部４２が印刷されている側を天側とし、媒体天地方向における券種・版数表示部４２が印刷されていない側を地側とする。また、テスト媒体２の表面４１において、長辺部の延在方向を表面左右方向とし、この表面左右方向における券種・版数表示部４２が印刷されている側を表面右側とし、表面左右方向における券種・版数表示部４２が印刷されていない側を表面左側とする。
【００３５】
テスト媒体２の厚さ方向一側の表面４１には、表面左右方向の中間位置であって媒体天地方向の中間位置に、白色地に対し黒色で二次元コード５１が印刷されている。なお、図示は略すが、テスト媒体２の厚さ方向他側の裏面には、二次元コードは印刷されていない。言い換えれば、テスト媒体２の表面４１および裏面を判別する際には、二次元コード５１が印刷されていれば表面４１と判別でき、二次元コードが印刷されていなければ裏面と判別できることになる。これを用いて、識別部３２はテスト媒体２の表裏を判別する。
【００３６】
二次元コード５１は、外観的に方向性を有しており、このように方向性を有する二次元コード５１が規定の向きで印刷されたテスト媒体２は、二次元コード５１の向きから天側と地側と表面左側と表面右側とが区別可能となっている。
【００３７】
具体的に、二次元コード５１は、ＱＲコード（登録商標）であり、正方形状の表示エリア５２の３つの角部に同形状の正方形状の基準部５３〜５５を有している。また、正方形状の表示エリア５２には、基準部５３〜５５がない角部が存在する。二次元コード５１は、例えばこれらの関係からその向きが規定されることになる。そして、二次元コード５１は、これら基準部５３〜５５のうちの中間に位置する基準部５４が、天側かつ表面左側に、表示エリア５２における基準部５３〜５５がない角部が、地側かつ表面右側に配置されるように、テスト媒体２の表面４１に印刷されている。このように、二次元コード５１は、その向きが規定される形状であり、この二次元コード５１が規定の向きで印刷されたテスト媒体２は、二次元コード５１の向きから、その向き、すなわち媒体天地方向および表面左右方向が識別可能となっている。これを用いて、識別部３２はテスト媒体２の方向を判別する。
【００３８】
テスト媒体２の表面４１は、二次元コード５１を全周にわたって囲む所定の領域が、二次元コード５１以外の一切の印刷が不可なデザイン禁止エリア６１となっている。言い換えれば、デザイン禁止エリア６１の内側範囲に全体が配置されるように二次元コード５１が印刷されている。デザイン禁止エリア６１は、地色である白色であり、表面４１における表面左右方向の中央範囲に媒体天地方向の全長にわたって形成されている。上記した券種・版数表示部４２は、表面４１におけるデザイン禁止エリア６１よりも外側に印刷されている。
【００３９】
ここで、テスト媒体２の長辺部×短辺部の外形サイズは、紙葉類処理装置１において取り扱う紙幣の中で最小の紙幣（例えば、５ｅｕｒｏ紙幣：１２０ｍｍ×６０ｍｍ）以上とされている。そして、テスト媒体２は、この最小の紙幣のサイズに応じて読み取り可能な二次元コード５１の大きさが決定され、この二次元コード５１の周辺がデザイン禁止エリア６１として設定されている。
【００４０】
二次元コード５１は、紙幣の識別情報を含んでいる。二次元コード５１は、これを読み取った識別部３２から制御部３６へ識別結果として通知する識別情報のデータを二次元コード化したものである。
【００４１】
紙葉類処理装置１は、識別部３２がテスト媒体２の二次元コード５１から識別情報を読み取って、この識別情報を識別結果として制御部３６に送信すると、制御部３６が、この識別結果に基づいて搬送部３１を制御して、複数の収容部２０〜２８のうち、識別部３２の識別結果に対して設定された収容部を搬送先として、このテスト媒体２を搬送する。また、このとき、制御部３６が、この識別結果を操作表示部３５に表示させる。
【００４２】
二次元コード５１に含まれる識別情報のデータフォーマットは、図３に示すように、紙幣の搬送不良に関するオーバーラン情報と、紙幣の特性に関する特性情報と、紙幣の券種に関する券種情報と、紙幣の損券の判別に関する損券判別情報と、その他の予備情報と、を有している。
【００４３】
特性情報は、図４に示すように、磁気情報と、ＵＶ情報と、厚み情報と、を含んでいる。券種情報は、図５に示すように、通貨情報と、額面情報と、版数情報と、偽券情報と、表裏情報と、方向情報と、を含んでいる。損券判別情報は、図６に示すように、テープ情報と、外形情報と、損傷情報と、折れ情報と、汚損情報と、を含んでいる。
【００４４】
データフォーマットのこれらの項目は、ビットのオンおよびオフ、測定値、レベルまたはコード等で表すことができ、動作確認を行う項目に応じて値が設定される。ただし、表裏情報および方向情報は、識別部３２によるテスト媒体２の実際の検出結果で識別部３２がデータを書き換えて制御部３６側へ通知する。また、識別部３２の厚みセンサによるテスト媒体２の実際の厚みの測定データで厚み異常が検出された場合は、厚み異常ありを示す情報を制御部３６側へ通知する。
【００４５】
二次元コード５１に含まれる識別情報の一例について説明する。
【００４６】
オーバーラン情報は、識別部３２により検出される先行する紙幣との間隔のデータであり、オーバーランありと判定されるデータと、オーバーランなしと判定されるデータとのうちのいずれか一方がテスト媒体２に応じて設定されて、テスト媒体２の二次元コード５１の識別情報に含められることになる。
【００４７】
二次元コード５１のオーバーラン情報が、オーバーランありと判定されるデータに設定されている場合、この二次元コード５１を読み取った識別部３２は、この二次元コード５１が印刷されたテスト媒体２をオーバーランありの搬送異常券と識別することになって、これを識別結果として制御部３６に送信する。すると、制御部３６は、このテスト媒体２を、複数の収容部２０〜２８のうち、オーバーランありの紙幣を収容する収容部に搬送する。また、二次元コード５１のオーバーラン情報が、オーバーランなしと判定されるデータに設定されている場合、この二次元コード５１を読み取った識別部３２は、この二次元コード５１が印刷されたテスト媒体２をオーバーランなしと識別して、これを識別結果として制御部３６に送信する。
【００４８】
特性情報のうちの磁気情報は、識別部３２の磁気センサで読み取られる磁気データであり、券種に対応せず磁気異常ありと判定されるデータと、券種に対応していて磁気異常なしと判定されるデータとのうちのいずれか一方がテスト媒体２に応じて設定されて、テスト媒体２の二次元コード５１の識別情報に含められることになる。
【００４９】
二次元コード５１の磁気情報が、磁気異常ありと判定されるデータに設定されている場合、この二次元コード５１を読み取った識別部３２は、この二次元コード５１が印刷されたテスト媒体２を磁気異常ありの磁気異常券と識別して、これを識別結果として制御部３６に送信する。すると、制御部３６は、このテスト媒体２を、複数の収容部２０〜２８のうち、磁気異常ありの紙幣を収容する収容部に搬送する。また、二次元コード５１の磁気情報が、磁気異常なしと判定されるデータに設定されている場合、この二次元コード５１を読み取った識別部３２は、この二次元コード５１が印刷されたテスト媒体２を磁気異常なしと識別して、これを識別結果として制御部３６に送信する。
【００５０】
特性情報のうちのＵＶ情報は、識別部３２の紫外線センサで読み取られる紫外線反射データであり、券種に対応していないＵＶ異常ありと判定されるデータと、券種に対応していてＵＶ異常なしと判定されるデータとのうちのいずれか一方がテスト媒体２に応じて設定されて、テスト媒体２の二次元コード５１の識別情報に含められることになる。
【００５１】
二次元コード５１のＵＶ情報がＵＶ異常ありと判定されるデータに設定されている場合、この二次元コード５１を読み取った識別部３２は、この二次元コード５１が印刷されたテスト媒体２をＵＶ異常ありのＵＶ異常券と識別して、これを識別結果として制御部３６に送信する。すると、制御部３６は、このテスト媒体２を、複数の収容部２０〜２８のうち、ＵＶ異常ありの紙幣を収容する収容部に搬送する。また、二次元コード５１のＵＶ情報がＵＶ異常なしと判定されるデータに設定されている場合、この二次元コード５１を読み取った識別部３２は、この二次元コード５１が印刷されたテスト媒体２をＵＶ異常なしと識別して、これを識別結果として制御部３６に送信する。
【００５２】
特性情報のうちの厚み情報は、識別部３２の厚みセンサで検出される厚みデータであり、厚み異常ありと判定されるデータと、厚み異常なしと判定されるデータとのうちのいずれか一方がテスト媒体２に応じて設定されて、テスト媒体２の二次元コード５１の識別情報に含められることになる。二次元コード５１の厚み情報が、厚み異常ありと判定されるデータに設定されている場合、この二次元コード５１を読み取った識別部３２は、この二次元コード５１が印刷されたテスト媒体２を厚み異常の搬送異常券と識別することになって、これを識別結果として制御部３６に送信する。すると、制御部３６は、このテスト媒体２を、複数の収容部２０〜２８のうち、厚み異常の紙幣を収容する収容部に搬送する。また、二次元コード５１の厚み情報が、厚み異常なしと判定されるデータに設定されている場合、この二次元コード５１を読み取った識別部３２は、この二次元コード５１が印刷されたテスト媒体２を厚み異常なしと識別して、これを識別結果として制御部３６に送信する。
【００５３】
ただし、識別部３２の厚みセンサにより検出されるテスト媒体２の実際の厚みデータが許容範囲にないと判定される場合は、厚み異常ありを示す情報を制御部３６に送信する。すると、制御部３６は、厚みデータが許容範囲にないテスト媒体２を、厚み異常ありとして、複数の収容部２０〜２８のうち、厚み異常ありの紙幣を収容する収容部に搬送する。つまり、厚み異常が検出された場合は、二次元コードに設定された厚み情報より実際に検出された厚み異常ありを示す情報が優先されることになる。
【００５４】
券種情報のうちの通貨情報は、例えば、米ドル、日本円等の通貨の種類を示すデータであり、額面情報は、米ドルでは１、５、１０、２０、５０、及び１００、日本円では、１０００（千円券）、２０００（二千円券）、５０００（五千円券）、及び１００００（一万円券）等の通貨の額面を示すデータである。これらの通貨情報および額面情報が、テスト媒体２に応じて設定されて、テスト媒体２の二次元コード５１の識別情報に含められることになり、これらも識別部３２で読み取られると識別結果として制御部３６に送信される。
【００５５】
券種情報のうちの版数情報は、紙幣のデザインが変わると更新される版数を示すデータであり、最新の版数と判定されるデータと、古い版数と判定されるデータとのうちのいずれか一方がテスト媒体２に応じて設定されて、テスト媒体２の二次元コード５１の識別情報に含められることになる。
【００５６】
二次元コード５１の版数情報が、最新のものよりも古い版数のデータに設定されている場合、この二次元コード５１を読み取った識別部３２は、この二次元コード５１が印刷されたテスト媒体２を古い版数と識別して、これを識別結果として制御部３６に送信する。すると、制御部３６は、このテスト媒体２を、複数の収容部２０〜２８のうち、古い版数の紙幣を収容する収容部に搬送する。また、二次元コード５１の版数情報が、最新の版数のデータに設定されている場合、この二次元コード５１を読み取った識別部３２は、この二次元コード５１が印刷されたテスト媒体２を最新の版数と識別して、これを識別結果として制御部３６に送信する。
【００５７】
券種情報のうちの偽券情報は、識別部３２のイメージセンサで読み取られる表裏面の画像データであり、偽券でないと判定されるデータと、偽券であると判定されるデータとのうちのいずれか一方がテスト媒体２に応じて設定されて、テスト媒体２の二次元コード５１の識別情報に含められることになる。
【００５８】
二次元コード５１の偽券情報が偽券であると判定されるデータに設定されている場合、この二次元コード５１を読み取った識別部３２は、この二次元コード５１が印刷されたテスト媒体２を偽券であると識別して、これを識別結果として制御部３６に送信する。すると、制御部３６は、このテスト媒体２を、複数の収容部２０〜２８のうち、偽券を収容する収容部に搬送する。また、二次元コード５１の偽券情報が偽券でないと判定されるデータに設定されている場合、この二次元コード５１を読み取った識別部３２は、この二次元コード５１が印刷されたテスト媒体２を偽券でないと識別して、これを識別結果として制御部３６に送信する。
【００５９】
券種情報のうちの表裏情報は、識別部３２のイメージセンサで読み取られるテスト媒体２の表面４１および裏面が識別部３２に対していずれの向きに向いているかを示すデータであり、予め所定のデータに設定されているものの、識別部３２でのテスト媒体２の識別時にイメージセンサで検出した実際の二次元コード５１の向きに基づく表裏データに書き換えられることになり、これが識別結果として制御部３６に送信される。すると、制御部３６は、紙幣を表裏で分類する設定の場合には、テスト媒体２の表券は複数の収容部２０〜２８のうち表券を収容する収容部に搬送し、テスト媒体２の裏券は複数の収容部２０〜２８のうち裏券を収容する収容部に搬送する。
【００６０】
券種情報のうちの方向情報は、識別部３２のイメージセンサで読み取られるテスト媒体２の例えば天地が搬送部３１での搬送方向において上流側および下流側のいずれの向きに向いているかを示すデータであり、予め所定のデータに設定されているものの、識別部３２でのテスト媒体２の識別時にイメージセンサで検出した実際の二次元コード５１の向きに基づく方向データに書き換えられることになり、これが識別結果として制御部３６に送信される。すると、制御部３６は、紙幣を天地の向きで分類する設定の場合には、天側が下流側となる向きのテスト媒体２は、複数の収容部２０〜２８のうち、この向きの券を収容する収容部に搬送し、地側が下流側となる向きのテスト媒体２は、複数の収容部２０〜２８のうち、この向きの券を収容する収容部に搬送する。言い換えれば、識別部３２は、テスト媒体２の二次元コード５１の読み取りの向きにより、このテスト媒体２の方向を識別する。なお、テスト媒体２は、表裏データと天地の方向データとで表面左右方向も決まることになる。
【００６１】
損券判別情報のうちのテープ情報は、識別部３２のイメージセンサで読み取られる表裏面の画像データであり、テープが貼り付けられているテープありと判定されるデータと、テープが貼り付けられていないテープなしと判定されるデータとのうちのいずれか一方がテスト媒体２に応じて設定されて、テスト媒体２の二次元コード５１の識別情報に含められることになる。
【００６２】
二次元コード５１のテープ情報がテープありと判定されるデータに設定されている場合、この二次元コード５１を読み取った識別部３２は、この二次元コード５１が印刷されたテスト媒体２をテープありのテープ券と識別して、これを識別結果として制御部３６に送信する。すると、制御部３６は、このテスト媒体２を、複数の収容部２０〜２８のうち、テープありの紙幣を収容する収容部に搬送する。また、二次元コード５１のテープ情報がテープなしと判定されるデータに設定されている場合、この二次元コード５１を読み取った識別部３２は、この二次元コード５１が印刷されたテスト媒体２をテープなしと識別して、これを識別結果として制御部３６に送信する。
【００６３】
損券判別情報のうちの外形情報は、識別部３２のイメージセンサで読み取られる画像データから割り出される外形サイズのデータであり、外形サイズに異常がある外形異常ありと判定されるデータと、異常がない外形異常なしと判定されるデータとのうちのいずれか一方がテスト媒体２に応じて設定されて、テスト媒体２の二次元コード５１の識別情報に含められることになる。
【００６４】
二次元コード５１の外形情報が外形異常ありと判定されるデータに設定されている場合、この二次元コード５１を読み取った識別部３２は、この二次元コード５１が印刷されたテスト媒体２を外形異常ありの外形異常券と識別して、これを識別結果として制御部３６に送信する。すると、制御部３６は、このテスト媒体２を、複数の収容部２０〜２８のうち、外形異常ありの紙幣を収容する収容部に搬送する。また、二次元コード５１の外形情報が外形異常なしと判定されるデータに設定されている場合、この二次元コード５１を読み取った識別部３２は、この二次元コード５１が印刷されたテスト媒体２を外形異常なしと識別して、これを識別結果として制御部３６に送信する。
【００６５】
損券判別情報のうちの損傷情報は、識別部３２のイメージセンサで読み取られる画像データから割り出されるデータであり、穴や欠け等の損傷がある損傷ありと判定されるデータと、損傷がない損傷なしと判定されるデータとのうちのいずれか一方がテスト媒体２に応じて設定されて、テスト媒体２の二次元コード５１の識別情報に含められることになる。
【００６６】
二次元コード５１の損傷情報が損傷ありと判定されるデータに設定されている場合、この二次元コード５１を読み取った識別部３２は、この二次元コード５１が印刷されたテスト媒体２を損傷ありの損傷券と識別して、これを識別結果として制御部３６に送信する。すると、制御部３６は、このテスト媒体２を、複数の収容部２０〜２８のうち、損傷ありの紙幣を収容する収容部に搬送する。二次元コード５１の損傷情報が損傷なしと判定されるデータに設定されている場合、この二次元コード５１を読み取った識別部３２は、この二次元コード５１が印刷されたテスト媒体２を損傷なしと識別して、これを識別結果として制御部３６に送信する。
【００６７】
損券判別情報のうちの折れ情報は、識別部３２のイメージセンサで読み取られる画像データから割り出されるデータであり、折れがある折れありと判定されるデータと、折れがない折れなしと判定されるデータとのうちのいずれか一方がテスト媒体２に応じて設定されて、テスト媒体２の二次元コード５１の識別情報に含められることになる。
【００６８】
二次元コード５１の折れ情報が折れありと判定されるデータに設定されている場合、この二次元コード５１を読み取った識別部３２は、この二次元コード５１が印刷されたテスト媒体２を折れありの折れ券と識別して、これを識別結果として制御部３６に送信する。すると、制御部３６は、このテスト媒体２を、複数の収容部２０〜２８のうち、折れありの紙幣を収容する収容部に搬送する。また、二次元コード５１の折れ情報が折れなしと判定されるデータに設定されている場合、この二次元コード５１を読み取った識別部３２は、この二次元コード５１が印刷されたテスト媒体２を折れなしと識別して、これを識別結果として制御部３６に送信する。
【００６９】
損券判別情報のうちの汚損情報は、識別部３２のイメージセンサで読み取られる画像データから割り出されるデータであり、汚損がある汚損ありと判定されるデータと、汚損がない汚損なしと判定されるデータとのうちのいずれか一方がテスト媒体２に応じて設定されて、テスト媒体２の二次元コード５１の識別情報に含められることになる。
【００７０】
二次元コード５１の汚損情報が汚損ありと判定されるデータに設定されている場合、この二次元コード５１を読み取った識別部３２は、この二次元コード５１が印刷されたテスト媒体２を汚損ありの汚損券と識別して、これを識別結果として制御部３６に送信する。すると、制御部３６は、このテスト媒体２を、複数の収容部２０〜２８のうち、汚損ありの紙幣を収容する収容部に搬送する。また、二次元コード５１の汚損情報が汚損なしと判定されるデータに設定されている場合、この二次元コード５１を読み取った識別部３２は、この二次元コード５１が印刷されたテスト媒体２を汚損なしと識別して、これを識別結果として制御部３６に送信する。
【００７１】
なお、二次元コード５１には、上記以外の他の情報を含めることもできる。この場合、例えば、上記したデータフォーマットの予備情報にこの情報を含めることができる。例えば、予備情報として、紙幣の記番号の情報を含めるようにしてもよい。２次元コード５１に紙幣の記番号の情報を含めることで、テスト媒体２を用いて、記番号を操作表示部３５に表示させるテストや、記番号を記憶部３７に記憶させるデータ収集テスト等の動作確認を行うことができる。
【００７２】
また、紙幣の記番号の情報は、識別部３２のイメージセンサで読み取られる画像データから文字認識されるデータであり、紙幣の記番号の異常（読み取り不良など）がある記番号異常ありと判定されるデータと、紙幣の記番号の異常がない記番号異常なしと判定されるデータとのうちのいずれか一方がテスト媒体２に応じて設定されて、テスト媒体２の二次元コード５１の識別情報に含められることになっていてもよい。
【００７３】
二次元コード５１の予備情報が記番号異常ありと判定されるデータに設定されている場合、この二次元コード５１を読み取った識別部３２は、この二次元コード５１が印刷されたテスト媒体２を記番号異常券と識別して、これを識別結果として制御部３６に送信する。すると、制御部３６は、このテスト媒体２を、複数の収容部２０〜２８のうち、記番号異常ありの紙幣を収容する収容部に搬送する。また、二次元コード５１の予備情報が記番号異常なしと判定されるデータに設定されている場合、この二次元コード５１を読み取った識別部３２は、この二次元コード５１が印刷されたテスト媒体２を記番号異常なしと識別して、これを識別結果として制御部３６に送信する。
【００７４】
ここで、テスト媒体２の二次元コード５１に含まれる通貨情報、額面情報および版数情報は、このテスト媒体２の券種・版数表示部４２に印刷されているテキストと一致するように設定される。図２に示す例では、券種が米１００ドル紙幣であって版数が３版であることを示す「ＵＳＤ１００＿３」のテキストがテスト媒体２の券種・版数表示部４２に印刷されており、よって、このテスト媒体２の二次元コード５１には、券種が米１００ドル紙幣であって版数が３版であることを示す情報が含まれている。
【００７５】
テスト媒体２の表面４１には、表面４１におけるデザイン禁止エリア６１よりも外側に、二次元コード５１に含まれる識別情報の中の異常情報を、目視判別可能となるようにテキストを含んで表記する異常表記部７１が印刷されている。言い換えれば、異常表記部７１は、どのような動作確認を行うためのテスト媒体２であるかを視認可能に表示している。異常表記部７１は、表面４１における券種・版数表示部４２と同じ表面右側に印刷されている。さらに、二次元コード５１が紙幣の記番号の情報を含んでいる場合は、二次元コード５１に含まれる紙幣の記番号の情報を、目視判別可能にテスト媒体２の表面４１に印刷するようにしてもよい。
【００７６】
図７に示すように、異常表記部７１は、表形式であり、各種の異常が記載され、テスト媒体２が有する異常部分を「●」で示している。図７に示す例では、各種の異常として、オーバーランありを示す「Ｏｖｅｒｒｕｎ」と、磁気異常ありを示す「ＭＧ」と、ＵＶ異常ありを示す「ＵＶ」と、古い版数であることを示す「Ｉｓｓｕｅ」と、偽券であることを示す「Ｃｏｕｎｔｅｒｆｅｉｔ」と、テープありを示す「Ｔａｐｅ」と、が表示されており、これらのそれぞれの地側に隣り合って選択欄が記載されている。また、異常表記部７１は、各種の異常として、外形異常ありを示す「Ｄｉｍｅｎｔｉｏｎ」と、損傷ありを示す「Ｈｏｌｅ，Ｔｅａｒ」と、折れありを示す「Ｆｏｌｄ」と、汚損ありを示す「Ｄｉｒｔ」と、が表示されており、これらそれぞれの地側に隣り合って選択欄が記載されている。
【００７７】
図７に示す例では、異常表記部７１の磁気異常ありを示す「ＭＧ」の地側に隣り合う選択欄に「●」が印刷されており、よって、この異常表記部７１が印刷されたテスト媒体２は、券種が米１００ドル紙幣であって版数が３版であって、異常表記部７１に表示された異常のうち、磁気異常ありの異常のみを有し、オーバーランなし、ＵＶ異常なし、テープなし、外形異常なし、損傷なし、折れなしおよび汚損なしであって、古い版数ではなく、偽券ではない紙幣の識別情報を含む二次元コード５１が印刷されたテスト媒体２となっている。
【００７８】
ここで、オーバーランなし、磁気異常なし、ＵＶ異常なし、テープなし、外形異常なし、損傷なし、折れなしおよび汚損なしであって、古い版数ではなく、偽券でないテスト媒体２が、正券のテスト媒体２となる。この正券のテスト媒体２は、異常表記部７１のいずれの選択欄にも「●」が印刷されていないものになる。
【００７９】
テスト媒体２には、その表面４１および裏面の、それぞれ短辺部を含む両側の端縁部に、地色である白色に対して色が異なる有色の着色領域８１が帯状に形成されている。両側の着色領域８１は、同色であり、券種によって異なる色に印刷されている。言い換えれば、テスト媒体２は、着色領域８１の色が券種に一対一で対応している。
【００８０】
紙葉類処理装置１においては、操作表示部３５への入力で、複数の収容部２０〜２８への紙幣の振り分け方が種々設定可能となっている。
【００８１】
例えば、紙幣の振り分け方の設定後等に紙葉類処理装置１の動作確認を行う場合、収容部２０への振り分け条件に合致した紙幣の識別情報を含む二次元コード５１が印刷されたテスト媒体２と、収容部２１への振り分け条件に合致した紙幣の識別情報を含む二次元コード５１が印刷されたテスト媒体２と、収容部２２への振り分け条件に合致した紙幣の識別情報を含む二次元コード５１が印刷されたテスト媒体２と、収容部２３への振り分け条件に合致した紙幣の識別情報を含む二次元コード５１が印刷されたテスト媒体２と、収容部２４への振り分け条件に合致した紙幣の識別情報を含む二次元コード５１が印刷されたテスト媒体２と、を準備する。加えて、収容部２５への振り分け条件に合致した紙幣の識別情報を含む二次元コード５１が印刷されたテスト媒体２と、収容部２６への振り分け条件に合致した紙幣の識別情報を含む二次元コード５１が印刷されたテスト媒体２と、収容部２７への振り分け条件に合致した紙幣の識別情報を含む二次元コード５１が印刷されたテスト媒体２と、収容部２８への振り分け条件に合致した紙幣の識別情報を含む二次元コード５１が印刷されたテスト媒体２と、を準備する。そして、これらのテスト媒体２を用いて紙葉類処理装置１の動作確認を行う。
【００８２】
操作者が、操作表示部３５を介して紙葉類処理装置１を、テスト媒体２を使用して動作確認を行う模擬紙モードにして、上記のように準備したテスト媒体２を取込部１１にセットする。なお、このとき、テスト媒体２は、紙幣と同様に、長辺部を装置前後方向に沿わせ、短辺部を装置左右方向に沿わせて、上下方向に集積された状態で取込部１１にセットされることになる。
【００８３】
操作表示部３５にスタート操作が入力されると、制御部３６が、取込部１１および搬送部３１を駆動する。すると、取込部１１は、紙幣と同様に、セットされた集積状態のテスト媒体２を最下のものから一枚ずつ分離して紙葉類処理装置１内に取り込む。これが、紙幣の識別情報を含む二次元コード５１が印刷されたテスト媒体２を取込部１１で取り込む工程となる。
【００８４】
また、搬送部３１も、紙幣と同様に、取込部１１によって取り込まれたテスト媒体２を搬送する。そして、取込部１１によって取り込まれ搬送部３１によって搬送されるテスト媒体２を、識別部３２が、これを通過する際に識別する。
【００８５】
この模擬紙モードにおいて、識別部３２は、図８に示すフローチャートに沿って作動する。すなわち、識別部３２は、識別部３２に搬送されてきたテスト媒体２を検知すると、イメージセンサにより紙幣データサンプリングを行い（ステップＳ１）、パターン処理により、このテスト媒体２の二次元コード５１の情報を読み込む（ステップＳ２）。
【００８６】
そして、このように読み込んだ二次元コード５１に含まれる紙幣の識別情報にある、搬送状態情報であるオーバーラン情報と、特性情報の磁気情報およびＵＶ情報と、券種情報の通貨情報、額面情報、版数情報および偽券情報と、損券判別情報のテープ情報、外形情報、損傷情報、折れ情報および汚損情報を、この二次元コード５１が印刷されたテスト媒体２の識別結果とする。
【００８７】
さらに、このようにイメージセンサにより読み取った二次元コード５１の向きから割り出されるテスト媒体２の表裏を表裏情報に書き換え、これを識別結果とし、同じく読み取った二次元コード５１の向きから割り出されるテスト媒体２の方向を方向情報に書き換えて、これを識別結果とする（ステップＳ３）。
【００８８】
以上のようにして、識別部３２は、取込部１１によって取り込まれたテスト媒体２の二次元コード５１から紙幣の識別情報を識別結果として読み取る。これが、取込部１１によって取り込まれたテスト媒体２の二次元コード５１から識別部３２によって紙幣の識別情報を識別結果として読み取る工程となる。
【００８９】
加えて、識別部３２は、厚みセンサにより検出されたテスト媒体２の厚みの測定データをもとに、テスト媒体２の厚み異常の有無、すなわち厚みが適正範囲にはなく厚み異常があるか、厚みが適正範囲内にあって厚み異常がないかを判定する（ステップＳ４）。
【００９０】
そして、識別部３２は、上記判定において厚み異常があれば（ステップＳ５：ＹＥＳ）、厚み異常ありを示す情報を制御部３６に送信する（ステップＳ６）。すると、制御部３６は、厚み異常と識別されたテスト媒体２を搬送部３１で、複数の収容部２０〜２８の中からリジェクト用の一の収容部２０に搬送し、この収容部２０に収容する。
【００９１】
また、識別部３２は、上記判定において厚み異常がなければ（ステップＳ５：ＮＯ）、二次元コード５１の識別情報を含む識別結果を制御部３６に送信する（ステップＳ７）。すると、制御部３６は、厚み異常なしと識別されたテスト媒体２を、上記の識別結果に基づいて、搬送部３１によって複数の収容部２１〜２８の中から一の収容部に搬送し、この収容部に収容する。
【００９２】
ここで、識別部３２の制御において、上記のように実際に検出された厚み異常の情報を優先する理由は、紙幣が重送された場合は二次元コード５１をイメージセンサで正確に読み取れていない可能性があるためである。言い換えれば、重送されたテスト媒体２からイメージセンサで読み取った二次元コード５１のデータからでは、テスト媒体２の正しい搬送先が特定できないおそれがあるためである。
【００９３】
なお、ステップＳ７において、厚みセンサで検出されたテスト媒体２の厚みデータに異常がない場合でも、二次元コード５１に厚み異常ありと判定されるデータが設定されている場合は、厚み異常ありを示す情報を制御部３６に送信することになる。このように、二次元コード５１に厚み異常ありを示す情報を含ませれば、厚み異常のテスト媒体２の動作確認を行うことが可能になる。
【００９４】
以上のようにして、搬送部３１が、識別部３２がテスト媒体２の二次元コード５１から読み取った紙幣の識別結果等に基づいて、テスト媒体２を複数の搬送先である収容部２０〜２８の中から一の搬送先である収容部に搬送する。これが、識別部３２がテスト媒体２の二次元コード５１から読み取った紙幣の識別結果に基づいて、このテスト媒体２を搬送部３１によって複数の搬送先である収容部２０〜２８の中から一の搬送先である収容部に搬送する工程となる。
【００９５】
そして、取込部１１にセットされたテスト媒体２が全て収容部２０〜２８のいずれかに搬送されると、制御部３６は、識別部３２による識別および計数の結果から、各収容部２０〜２８へ収容したテスト媒体２の枚数と、各収容部２０〜２８へ収容したテスト媒体２の識別結果とを操作表示部３５に表示する。すると、操作者は、操作表示部３５のこの表示内容と、実際に各収容部２０〜２８へ収容したテスト媒体２の枚数および識別情報との一致を確認することで、振り分け動作が正常に行われたか否かを判断する。すなわち、すべて一致していれば振り分け動作が正常に行われたと判断し、いずれかが一致しなければ振り分け動作が正常に行われていないと判断する。
【００９６】
ここで、複数の収容部２０〜２８に、どのような紙幣を搬送するかは、設定により任意に変更することができる。例えば、８つの収容部２１〜２８に８種類の異なる券種の紙幣を券種毎に振り分けて収容し、偽券は収容部２０に収容する設定とすることが可能である。
【００９７】
また、例えば、４つの収容部２１〜２４に、識別部３２で正券と判断した紙幣を収容し、３つの収容部２５〜２７に、識別部３２で損券と判断した紙幣および古い版数券と判断した紙幣を収容し、１つの収容部２８に、識別部３２で偽券と判断した紙幣を収容する。その際に、４つの収容部２１〜２４には、紙幣を、券種別に分類したり、方向別（表裏、天地）等に分類したりすることが可能である。また、３つの収容部２５〜２７には、紙幣を、券種別に分類したり、方向別（表裏、天地）に分類したり、テープ券、外形異常券、折れ、古い版数券等の特定の要因別に分類したりすることもできる。そして、８つの収容部２１〜２８で受け入れ不可能な識別不能券や搬送不良券（オーバーラン、斜行、ニアフィード、重送等）などは、収容部２０に搬送する。すなわち、この場合、識別部３２は、取込部１１にセットされたすべての紙幣を、正券と、損券と、古い版数券と、偽券と、識別不能券と、搬送不良券とのうちのいずれか一つに判断することになる。
【００９８】
具体的に、例えば、正券と識別された万円券を収容部２１に、正券と識別された五千円券を収容部２２に、正券と識別された二千円券を収容部２３に、正券と識別された千円券を収容部２４に、損券と識別された万円券および古い版数券と識別された万円券を収容部２５に、損券と識別された五千円券、損券と識別された二千円券、古い版数券と識別された五千円券および古い版数券と識別された二千円券を収容部２６に、損券と識別された千円券および古い版数券と識別された千円券を収容部２７に、偽券と識別された紙幣を収容部２８に、磁気異常ありやＵＶ異常ありの識別不能券と、オーバーランあり等の搬送不良券とを収容部２０にそれぞれ振り分ける設定として、その動作確認を行う場合について説明する。
【００９９】
まず、４つの収容部２１〜２４に収容されるべきテスト媒体２を準備する。すなわち、異常表記部７１の選択欄のいずれにも「●」が記載されていない正券の、万円券、五千円券、二千円券および千円券のそれぞれのテスト媒体２を準備する。
【０１００】
また、３つの収容部２５〜２７に収容されるべきテスト媒体２を準備する。すなわち、異常表記部７１の「Ｔａｐｅ」の地側に隣り合う選択欄のみに「●」が記載されているテープ券の、万円券、五千円券、二千円券および千円券のそれぞれのテスト媒体２と、異常表記部７１の「Ｄｉｍｅｎｔｉｏｎ」の地側に隣り合う選択欄のみに「●」が記載されている外形異常券の、万円券、五千円券、二千円券および千円券のそれぞれのテスト媒体２と、異常表記部７１の「Ｈｏｌｅ，Ｔｅａｒ」の地側に隣り合う選択欄のみに「●」が記載されている損傷券の、万円券、五千円券、二千円券および千円券のそれぞれのテスト媒体２と、異常表記部７１の「Ｆｏｌｄ」の地側に隣り合う選択欄のみに「●」が記載されている折れ券の、万円券、五千円券、二千円券および千円券のそれぞれのテスト媒体２と、異常表記部７１の「Ｄｉｒｔ」の地側に隣り合う選択欄のみに「●」が記載されている汚損券の、万円券、五千円券、二千円券および千円券のそれぞれのテスト媒体２と、異常表記部７１の「Ｉｓｓｕｅ」の地側に隣り合う選択欄のみに「●」が記載されている古い版数券の、万円券、五千円券および千円券のそれぞれのテスト媒体２と、を準備する。
【０１０１】
さらに、１つの収容部２８に収容されるべきテスト媒体２を準備する。すなわち、異常表記部７１の「Ｃｏｕｎｔｅｒｆｅｉｔ」の地側に隣り合う選択欄のみに「●」が記載されている偽券の、万円券、五千円券、二千円券および千円券のそれぞれのテスト媒体２を準備する。
【０１０２】
加えて、１つの収容部２０に収容されるべきテスト媒体２を準備する。すなわち、異常表記部７１の「Ｏｖｅｒｒｕｎ」の地側に隣り合う選択欄のみに「●」が記載されている搬送不良券の、万円券、五千円券、二千円券および千円券のそれぞれのテスト媒体２と、異常表記部７１の「ＭＧ」の地側に隣り合う選択欄のみに「●」が記載されている磁気異常券の、万円券、五千円券、二千円券および千円券のそれぞれのテスト媒体２と、異常表記部７１の「ＵＶ」の地側に隣り合う選択欄のみに「●」が記載されているＵＶ異常券の、万円券、五千円券、二千円券および千円券のそれぞれのテスト媒体２と、を準備する。
【０１０３】
そして、操作者は、操作表示部３５への入力で、紙葉類処理装置１を模擬紙モードとし、取込部１１に上記したテスト媒体２をセットして、スタート操作を入力する。すると、取込部１１がテスト媒体２を一枚ずつに分離して繰り出し、搬送部３１が搬送する。その搬送中に、識別部３２がテスト媒体２の二次元コード５１の識別情報を識別結果として読み取る。識別部３２が、テスト媒体２の二次元コード５１の識別情報から万円券の正券のテスト媒体２と識別して、その識別結果を制御部３６に送信すると、制御部３６は、搬送部３１を制御して、このテスト媒体２を収容部２１に搬送する。同様に、五千円券の正券と識別したテスト媒体２を収容部２２に、二千円券の正券と識別したテスト媒体２を収容部２３に、千円券の正券と識別したテスト媒体２を収容部２４に搬送する。
【０１０４】
また、識別部３２が、テスト媒体２の二次元コード５１の識別情報から万円券のテープ券のテスト媒体２と識別して、その識別結果を制御部３６に送信すると、制御部３６は、搬送部３１を制御して、このテスト媒体２を収容部２５に搬送する。同様に、万円券の外形異常券と識別したテスト媒体２、万円券の損傷券と識別したテスト媒体２、万円券の折れ券と識別したテスト媒体２、万円券の汚損券と識別したテスト媒体２および万円券の古い版数券と識別したテスト媒体２を、収容部２５に搬送する。
【０１０５】
同様に、五千円券のテープ券と識別したテスト媒体２、五千円券の外形異常券と識別したテスト媒体２、五千円券の損傷券と識別したテスト媒体２、五千円券の折れ券と識別したテスト媒体２、五千円券の汚損券と識別したテスト媒体２、五千円券の古い版数券と識別したテスト媒体２、二千円券のテープ券と識別したテスト媒体２、二千円券の外形異常券と識別したテスト媒体２、二千円券の損傷券と識別したテスト媒体２、二千円券の折れ券と識別したテスト媒体２および二千円券の汚損券と識別したテスト媒体２を収容部２６に搬送する。
【０１０６】
同様に、千円券のテープ券と識別したテスト媒体２、千円券の外形異常券と識別したテスト媒体２、千円券の損傷券と識別したテスト媒体２、千円券の折れ券と識別したテスト媒体２、千円券の汚損券と識別したテスト媒体２および千円券の古い版数券と識別したテスト媒体２を収容部２７に搬送する。
【０１０７】
また、識別部３２が、テスト媒体２の二次元コード５１の識別情報から万円券の偽券のテスト媒体２と識別して、その識別結果を制御部３６に送信すると、制御部３６は、搬送部３１を制御して、このテスト媒体２を収容部２８に搬送する。同様に、五千円券の偽券のテスト媒体２と識別したテスト媒体２、二千円券の偽券のテスト媒体２と識別したテスト媒体２および千円券の偽券のテスト媒体２と識別したテスト媒体２を収容部２８に搬送する。
【０１０８】
さらに、識別部３２が、テスト媒体２の二次元コード５１の識別情報から万円券の搬送不良券のテスト媒体２と識別して、その識別結果を制御部３６に送信すると、制御部３６は、搬送部３１を制御して、このテスト媒体２を収容部２０に搬送する。同様に、五千円券の搬送不良券と識別したテスト媒体２、二千円券の搬送不良券と識別したテスト媒体２および千円券の搬送不良券と識別したテスト媒体２を収容部２０に搬送する。
【０１０９】
加えて、識別部３２が、テスト媒体２の二次元コード５１の識別情報から万円券の磁気異常券のテスト媒体２と識別して、その識別結果を制御部３６に送信すると、制御部３６は、搬送部３１を制御して、このテスト媒体２を収容部２０に搬送する。同様に、五千円券の磁気異常券と識別したテスト媒体２、二千円券の磁気異常券と識別したテスト媒体２および千円券の磁気異常券と識別したテスト媒体２を収容部２０に搬送する。
【０１１０】
また、識別部３２が、テスト媒体２の二次元コード５１の識別情報から万円券のＵＶ異常券のテスト媒体２と識別して、その識別結果を制御部３６に送信すると、制御部３６は、搬送部３１を制御して、このテスト媒体２を収容部２０に搬送する。同様に、五千円券のＵＶ異常券と識別したテスト媒体２、二千円券のＵＶ異常券と識別したテスト媒体２および千円券のＵＶ異常券と識別したテスト媒体２を収容部２０に搬送する。
【０１１１】
そして、取込部１１にセットされたテスト媒体２が全て収容部２０〜２８のいずれかに搬送されると、制御部３６は、識別部３２による識別および計数の結果から、各収容部２０〜２８へ収容したテスト媒体２の枚数と、各収容部２０〜２８へ収容したテスト媒体２の識別結果と、を操作表示部３５に表示する。
【０１１２】
すると、操作者は、操作表示部３５に表示されている万円券の正券の収容部２１への収容枚数と、異常表記部７１の選択欄のいずれにも「●」が記載されていない万円券の正券のテスト媒体２の収容部２１に実際に収容されている枚数との一致を確認する。また、このとき、収容部２１に収容されるべきではない、万円券の正券のテスト媒体２以外のテスト媒体２の収容部２１への収容の有無も確認する。
【０１１３】
操作者は、同様に、五千円券の正券の、操作表示部３５に表示されている収容部２２への収容枚数と、五千円券の正券のテスト媒体２の収容部２２への実際の収容枚数との一致と、収容部２２に収容されるべきではないテスト媒体２の収容部２２への収納の有無と、を確認する。また同様に、二千円券の正券の、操作表示部３５に表示されている収容部２３への収容枚数と、二千円券の正券のテスト媒体２の収容部２３への実際の収容枚数との一致と、収容部２３に収容されるべきではないテスト媒体２の収容部２３への収納の有無と、を確認する。また同様に、千円券の正券の、操作表示部３５に表示されている収容部２４への収容枚数と、千円券の正券のテスト媒体２の収容部２４への実際の収容枚数との一致と、収容部２４に収容されるべきではないテスト媒体２の収容部２４への収納の有無と、を確認する。
【０１１４】
また、操作者は、万円券のテープ券、万円券の外形異常券、万円券の損傷券、万円券の折れ券、万円券の汚損券および万円券の古い版数券の、それぞれの操作表示部３５に表示されている収容部２５への収容枚数と、異常表記部７１の「Ｔａｐｅ」の地側に隣り合う選択欄のみに「●」が記載されている万円券のテープ券のテスト媒体２、異常表記部７１の「Ｄｉｍｅｎｔｉｏｎ」の地側に隣り合う選択欄のみに「●」が記載されている万円券の外形異常券のテスト媒体２、異常表記部７１の「Ｈｏｌｅ，Ｔｅａｒ」の地側に隣り合う選択欄のみに「●」が記載されている万円券の損傷券のテスト媒体２、異常表記部７１の「Ｆｏｌｄ」の地側に隣り合う選択欄のみに「●」が記載されている万円券の折れ券のテスト媒体２、異常表記部７１の「Ｄｉｒｔ」の地側に隣り合う選択欄のみに「●」が記載されている万円券の汚損券のテスト媒体２および異常表記部７１の「Ｉｓｓｕｅ」の地側に隣り合う選択欄のみに「●」が記載されている万円券の古い版数券のテスト媒体２の、それぞれの収容部２５の実際の収容枚数との、対応するもの同士の一致を確認する。また、このとき、万円券のテープ券のテスト媒体２、万円券の外形異常券のテスト媒体２、万円券の損傷券のテスト媒体２、万円券の折れ券のテスト媒体２、万円券の汚損券のテスト媒体２および万円券の古い版数券のテスト媒体２のいずれでもない、収容部２５に収容されるべきではないテスト媒体２の収容部２５への収容の有無も確認する。
【０１１５】
操作者は、同様に、五千円券のテープ券、五千円券の外形異常券、五千円券の損傷券、五千円券の折れ券、五千円券の汚損券、五千円券の古い版数券、二千円券のテープ券、二千円券の外形異常券、二千円券の損傷券、二千円券の折れ券および二千円券の汚損券の、それぞれの操作表示部３５に表示されている収容部２６への収容枚数と、これらのテスト媒体２の収容部２６の実際の収容枚数との、対応するもの同士の一致と、収容部２６に収容されるべきではないテスト媒体２の収容部２６への収容の有無と、を確認する。また同様に、千円券のテープ券、千円券の外形異常券、千円券の損傷券、千円券の折れ券、千円券の汚損券および千円券の古い版数券の、それぞれの操作表示部３５に表示されている収容部２７への収容枚数と、これらのテスト媒体２の収容部２７の実際の収容枚数との、対応するもの同士の一致と、収容部２７に収容されるべきではないテスト媒体２の収容部２７への収容の有無と、を確認する。
【０１１６】
また、操作者は、万円券の偽券、五千円券の偽券、二千円券の偽券および千円券の偽券の、それぞれの操作表示部３５に表示されている収容部２８への収容枚数と、異常表記部７１の「Ｃｏｕｎｔｅｒｆｅｉｔ」の地側に隣り合う選択欄のみに「●」が記載されている万円券の偽券のテスト媒体２、同様の五千円券の偽券のテスト媒体２、同様の二千円券の偽券のテスト媒体２および同様の千円券の偽券のテスト媒体２の、それぞれの収容部２８の実際の収容枚数との、対応するもの同士の一致を確認する。また、このとき、万円券の偽券のテスト媒体２、五千円券の偽券のテスト媒体２、二千円券の偽券のテスト媒体２および千円券の偽券のテスト媒体２のいずれでもない、収容部２８に収容されるべきではないテスト媒体２の収容部２８への収容の有無も確認する。
【０１１７】
また、操作者は、異常表記部７１の「オーバーラン」の地側に隣り合う選択欄のみに「●」が記載されている、万円券、五千円券、二千円券および千円券のそれぞれの搬送不良券のテスト媒体２と、異常表記部７１の「ＭＧ」の地側に隣り合う選択欄のみに「●」が記載されている、万円券、五千円券、二千円券および千円券のそれぞれの磁気異常券のテスト媒体２と、異常表記部７１の「ＵＶ」の地側に隣り合う選択欄のみに「●」が記載されている、万円券、五千円券、二千円券および千円券のそれぞれのＵＶ異常券のテスト媒体２とが、収容部２０に収容されていることを確認する。また、このとき、収容部２０へ収容されるべきではないテスト媒体２の収容部２０への収容の有無も確認する。
【０１１８】
以上に述べた実施形態の紙葉類処理装置１によれば、取込部１１が、二次元コード５１が印刷されたテスト媒体２を取り込むと、識別部３２が、このテスト媒体２の二次元コード５１から紙幣の識別情報を識別結果として読み取ることになり、この紙幣の識別結果に基づいて、搬送部３１が、テスト媒体２を複数の搬送先としての収容部２０〜２８の中から一の搬送先となる収容部に択一的に搬送する。このように、テスト媒体２に紙幣の識別情報を含む二次元コード５１を印刷し、この二次元コード５１から識別部３２が読み取った紙幣の識別結果で、動作を確認することになる。よって、識別部３２において所望の識別をさせるように二次元コード５１に紙幣の識別情報を含ませれば良いため、テスト媒体２を容易に作成することができる。また、識別部３２においてテスト媒体２に対し所望の識別を行うように識別ソフトを作成することも容易となる。したがって、コスト増を抑制しつつ動作確認を効率良く行うことが可能となる。
【０１１９】
具体的に、例えば、新しいテスト媒体２を追加する時に、テスト媒体２の認識パターンを考える必要がなくなり、判定ソフトを作成する必要もなくなるため、対応するプログラムを作成する負担を軽減でき、テスト媒体２を作成する負担を軽減できる。また、紙葉類処理装置１の動作確認時に任意の識別情報を含む二次元コード５１をテスト媒体２に印刷するだけで可能になり、効率的に動作確認を行うことができる。また、従来のテスト媒体では、磁気異常ありの紙幣や、ＵＶ異常ありの紙幣の搬送確認を行うことができなかったが、これを行うことができる。さらに、二次元コード５１を自由に印刷可能なため、所望の特徴のテスト媒体２を容易に作成することが可能となる。
【０１２０】
また、二次元コード５１に含まれる紙幣の識別情報が、損券に関する情報を含んでいるため、識別部３２において損券に関する所望の識別をさせるようにテスト媒体２を作成することが容易にできる。また、識別部３２においてテスト媒体２に対し損券に関する所望の識別を行うように識別ソフトを作成することも容易となる。すなわち、従来のテスト媒体では、損券の搬送確認は、テスト媒体を折ったり、切ったり、損傷させる必要があり、作成に手間がかかった。また、このように作成しても、必ずしも、識別部で損券と判定するとは限らなかった。これに対し、二次元コード５１に紙幣の損券に関する情報を含む識別情報を記憶させて、識別部３２でこれを読み込むと、損券と識別することから、テスト媒体２の形状はそのままで、損券の搬送確認を確実に行うことができる。
【０１２１】
また、二次元コード５１に含まれる紙幣の識別情報が、搬送不良に関する情報を含んでいるため、識別部３２において搬送不良に関する所望の識別をさせるようにテスト媒体２を作成することが容易にできる。また、識別部３２においてテスト媒体２に対し搬送不良に関する所望の識別を行うように識別ソフトを作成することも容易となる。従来、オーバーラン紙幣等の搬送異常券の搬送確認は、紙葉類処理装置１側の取り込み具合により再現していたため、紙幣のセット方法や調整が難しかったが、二次元コード５１に、紙幣の搬送不良に関する情報を含む識別情報を記憶させて、識別部３２でこれを読み込むと、搬送異常券と識別することから、このような調整を行うことなく、搬送異常券の搬送確認を行うことができる。
【０１２２】
また、二次元コード５１に含まれる紙幣の識別情報が、紙幣の記番号に関する情報を含んでいるため、識別部３２において紙幣の記番号に関する所望の識別をさせるようにテスト媒体２を作成することが容易にできる。また、識別部３２においてテスト媒体２に対し紙幣の記番号に関する所望の識別を行うように識別ソフトを作成することも容易となる。
【０１２３】
また、識別部３２がテスト媒体２の二次元コード５１の読み取りの向きによりテスト媒体２の方向を識別するため、識別部３２において方向違いに関する所望の識別をさせるように異なる二次元コード５１を有する複数種のテスト媒体２を作成する必要がなくなる。よって、テスト媒体２の種類を減らすことができる。
【０１２４】
また、実施形態のテスト媒体２によれば、紙幣の識別情報を含む二次元コード５１が印刷されているため、紙葉類処理装置１は、この二次元コード５１から識別部３２が読み取った紙幣の識別結果で動作を確認することになる。よって、紙葉類処理装置１の識別部３２において所望の識別をさせるように二次元コード５１に紙幣の識別情報を含ませれば良いため、容易に作成することができる。また、識別部３２においてテスト媒体２に対し所望の識別を行うように紙葉類処理装置１の識別ソフトを作成することも容易となる。したがって、コスト増を抑制しつつ紙葉類処理装置１の動作確認を効率良く行うことが可能となる。
【０１２５】
また、テスト媒体２の外形は関係なく処理を行うので、テスト媒体２の外形サイズを実際の紙幣に合わせる必要がなくなり、テスト媒体２の作成が容易となる。もちろん、テスト媒体２の外形サイズを実際の紙幣に合わせるようにしてもよい。
【０１２６】
また、実施形態の紙葉類処理装置１の動作確認方法によれば、紙幣の識別情報を含む二次元コード５１が印刷されたテスト媒体２を取込部１１で取り込む工程と、取込部１１によって取り込まれたテスト媒体２の二次元コード５１から識別部３２によって紙幣の識別情報を識別結果として読み取る工程と、識別部３２がテスト媒体２の二次元コード５１から読み取った紙幣の識別結果に基づいて、このテスト媒体２を搬送部３１によって複数の搬送先である収容部２０〜２８の中から一の搬送先である収容部に搬送する工程と、を含む。このように、テスト媒体２に紙幣の識別情報を含む二次元コード５１を印刷し、この二次元コード５１から識別部３２が読み取った紙幣の識別結果で、動作を確認することになる。よって、識別部３２において所望の識別をさせるように二次元コード５１に紙幣の識別情報を含ませれば良いため、テスト媒体２を容易に作成することができる。また、識別部３２においてテスト媒体２に対し所望の識別を行うように識別ソフトを作成することも容易となる。したがって、コスト増を抑制しつつ動作確認を効率良く行うことが可能となる。
【０１２７】
以上の実施形態では、紙幣を搬送方向に対し横長の状態で搬送する横搬送の紙葉類処理装置１を例にして、テスト媒体２についても横搬送する場合を説明したが、紙幣を搬送方向に対し縦長の状態で搬送する縦搬送の紙葉類処理装置にも、上記技術は適用可能である。
【０１２８】
また、以上の実施形態では、紙葉類として紙幣を処理する紙葉類処理装置１を例にとり説明したが、上記技術は、紙葉類として、証券や、金券等を処理する紙葉類処理装置にも適用可能である。
【符号の説明】
【０１２９】
１  紙葉類処理装置
２  テスト媒体
１１  取込部
２０〜２８  収容部（搬送先）
３１  搬送部
３２  識別部
５１  二次元コード
Ｓ  紙幣（紙葉類）
【図１】
2020123252.tif 000003
【図２】
2020123252.tif 000004
【図３】
2020123252.tif 000005
【図４】
2020123252.tif 000006
【図５】
2020123252.tif 000007
【図６】
2020123252.tif 000008
【図７】
2020123252.tif 000009
【図８】
2020123252.tif 000010